(57)【要約】ポータブルな電子装置（１０）及びポータブルな電子装置（１０）を制御する方法が説明されている。この電子装置（１０）は、この装置が空間における配置を当該装置が判断することを可能にするための位置センサを有する。この装置（１０）は、例えば移動電話又はＰＤＡのような異なる動作モードで働くことができる。この装置の空間における配置を変更することにより、例えば直立位置で移動電話モードを稼動させる、及び水平位置でＰＤＡモードを稼動させるような、異なる動作モード間の切り換えが行われる。位置／向きの変化を利用して異なる動作モード間を切り換えることは、ユーザが前記装置を直観的に操作することを可能にする。【特許請求の範囲】
【請求項１】
ポータブルな電子装置であって、
−少なくとも１つの制御ユニット、及び前記制御ユニットにより制御される少なくともつの出力ユニットと、
−空間における前記装置の配置を記録する手段であり、判断される前記空間における配置は前記制御ユニットに与えられる手段と、
を持つポータブルな電子装置において、
前記装置は少なくとも２つの異なる動作モードで働くことができるように設計され、前記異なる動作モードでは、異なるユーザ入力が処理され及び／又は前記出力ユニットが異なるように制御され、及び
前記装置は空間における前記装置の配置を第１の空間配置から第２の空間配置へ変更する結果として、前記異なる動作モード間の切り換えを行う、
ポータブルな電子装置。
【請求項２】
請求項１に記載の装置において、前記装置の第１の動作モードは移動電話として動作する装置。
【請求項３】
請求項２に記載の装置において、前記装置は、当該装置が略垂直な位置に移動される場合、前記第１の動作モードに切り換る装置。
【請求項４】
請求項１、２又は３に記載の装置において、第２の動作モードはマイクロコンピュータとして動作する装置。
【請求項５】
請求項４に記載の装置において、前記装置は、当該装置が略水平な位置に移動される場合、前記第２の動作モードに切り換る装置。
【請求項６】
請求項１ないし５の何れか一項に記載の装置において、前記装置のある動作モードは、当該装置がオーディオ／ビデオデータを再生する再生モードである装置。
【請求項７】
請求項６に記載の装置において、前記装置は、当該装置が横になる位置に移動される場合、前記再生モードに切り換る装置。
【請求項８】
請求項１ないし７の何れか一項に記載の装置において、前記装置は入力開始命令によりパラメタを入力するための入力モードに切り換ることができ、前記入力モードにおいて、前記パラメタの値は空間における前記装置の配置が変更する方法に依存して変更され、前記パラメタの値は入力終了命令を入力することにより保持される装置。
【請求項９】
請求項８に記載の装置において、前記入力開始命令及び／又は入力終了命令は口語命令である装置。
【請求項１０】
ポータブルな電子装置を制御する方法において、
−前記装置は少なくとも２つの異なる動作モードにおいて働くことができ、この場合、前記装置は前記異なる動作モードにおいて、異なるユーザ入力を処理する及び／又は異なる信号を出力するステップ、
−空間における前記装置の配置が判断されるステップ、及び
−前記装置は空間における前記装置の配置を変更することにより異なる動作モード間を切り換るステップ、
を有する方法。
【発明の詳細な説明】
【技術分野】
【０００１】
本発明はポータブルな電子装置及びポータブルな電子装置を制御する方法に関する。
【背景技術】
【０００２】
ＰＤＡ又はオーガナイザのようなマイクロコンピュータ、移動電話、音楽プレーヤ、ポータブルな小型テレビジョン等を含む多数の既知のポータブルな電子装置がある。ポータブルな装置は、これら装置がユーザにとってサイズ及び重量の点から持ち運びやすく、これら装置が電源システム又はデータネットワークとの何ら固定の直接接続を殆ど無しに、動作することが可能である事実に注目すべきである。
【０００３】
これら性質に依存して、前記装置はこの場合異なる構成要素を含んでいる。ハウジング内には、例えば蓄電池のような電源ユニット及び通常は電子制御ユニットがあり、これは殆どの場合１つ以上のマイクロプロセッサを有する。これら装置は、ユーザ入力を取得することができ、ユーザ入力自身が映像信号又は音響信号である信号を作成することができる。この装置により実行される機能に依存して、ユーザ入力を取得する手段は例えばマイクロホン、キーボード及びタッチスクリーンを有し、用いられる出力ユニットは例えばスピーカ、並びに簡単な照明から小型の画像スクリーンに及ぶ視覚表示器及び表示手段を有する。
【０００４】
この装置の入力手段として、既知の移動電話は、（電話番号を入力する、電話中の音声、口頭命令をピックアップするための）ユーザ入力のための複数のキー及びマイクロホンを有する。既知の移動電話の出力手段は、スピーカ及び小型スクリーンである。
【０００５】
例えばＰＤＳ、パームトップ及びオーガナイザのような既知のマイクロコンピュータは通常、これらの入力手段としてキーボード及び／又はタッチスクリーンを有する。出力手段は通常、スピーカ及び小型スクリーンを有する。マイクロコンピュータはメモリ及びプログラムを実行することが可能である少なくとも１つの中央処理ユニットを有する。これらは、期限及び約束（電子手帳）を管理するためのプログラム又はデータ（例えば住所録）を管理するためのプログラム及びさらにはコンピュータゲームさえも含んでいる。
【０００６】
多数の機能を組み合わせた既知の装置が存在している。このようにして、ある移動電話は圧縮された音楽ファイルを再生することも可能である。
【０００７】
国際特許出願WO A 01/43473は、異なる動作モードにおいて、移動電話として及びＰＤＡとしての両方に用いられるモバイル装置を開示している。この装置は、空間におけるこの装置の配置を記録する手段を有し、この手段は判断される空間における配置又は空間における配置に関する変更をユーザ入力として処理する。装置上に示されるカーソルがこの装置の傾きに従って移動する。このカーソルを表示されるアイコンに移動し、キーを押すことにより特定のアイコンを選択することによって、そのアイコンに割り当てられた機能が選択され得る。このようにして、前記装置は、移動電話、アドレス帳及びコンピュータゲームとして、動作モード間を切り換ることができる。
【０００８】
国際特許出願WO A 01/03054はさらに、空間における装置の配置を記録するための手段を持ち、判断される前記空間における配置をユーザ入力として処理するポータブルな電子装置の他の実施例を扱っている。この装置は、（提案するのは加速センサ、磁場センサ、超音波検出及び光学走査である）センサを用いてその環境に対するこの装置の配置を検出し、ディスプレイ上に示されるカーソルをこの装置の配置に関する変更関数として制御する移動電話である。
【発明の開示】
【発明が解決しようとする課題】
【０００９】
本発明の目的は、ユーザが特に簡単に操作できる電子ユニットを提案することである。
【００１０】
本目的は、請求項１に記載の装置及び請求項１０に記載のポータブルな電子装置を制御する方法により達成される。従属請求項は本発明の有利な実施例に関する。
【課題を解決するための手段】
【００１１】
本発明によれば、前記装置は、当該装置が少なくとも２つの異なる動作モードにおいて動作することができるように設計され、この装置は、空間における装置の配置が変更される場合、これらのモード間を切り換る。
【００１２】
異なる動作モードは、前記装置が異なる機能を行う事実により区別される。異なる動作モードにおいて、前記装置は、異なるユーザ入力を処理する及び／又は異なる出力を生成する。可能な第１の動作モードは移動電話としての動作である。可能な第２の動作モードはマイクロプロセッサ（例えばＰＤＡ）としての動作である。第３の例は、オーディオ及び／又はビデオデータ用の再生モードである。
【００１３】
空間における装置の配置に関する所与の変更がある場合、異なる動作モード間の自動的な切り換りが行われる。空間における装置の配置が意味することは、その装置の位置及び向きである。好ましくは分析されることは、特にこの装置の向き、すなわちこの装置の３次元軸の１つ以上の軸の周りの回転である。この装置の向きは、好ましくは常に走査される。この装置が所与の向き、すなわち立体角(solid angle)により規定される範囲内の位置となると直ちに、関連するモードへの切り換りが起こる。この場合、動作モード及び関連する向きは、互いに相関しているので、動作はユーザにより直観的にもたらされることができる。
【００１４】
例えばある動作モードにおいて移動電話として使用される装置において、この装置自身の配置は、移動電話を操作するためには正常であり、好ましくは稼動すべき移動電話の動作モードを生じさせるであろう。移動電話では、これは、略直立姿勢を意味し、一般的な姿勢は、電話を掛ける場合にとられる、すなわちマイクロホンの端を底にして、垂直に対し２０°から７０°の角度に傾けられる。装置が略平坦であり、細長い形態である場合、上記位置にあるとき、移動電話の動作モードに自動的に切り換る。
【００１５】
他の動作モードの実施例は、マイクロコンピュータ（ＰＤＡ、オーガナイザ）としての動作である。この装置のディスプレイが略水平になるようにこの装置が置かれた場合、この装置は好ましくは自動的にＰＤＡの動作モードに切り換る。このＰＤＡモードにおいて、例えばアドレスデータベース（アドレス帳）及び予定帳(appointment diary)のようなアプリケーションが起動される。例えばワードプロセッシング、スプレッドシート等の他のアプリケーションも可能である。
【００１６】
この装置は、大多数の様々な機能に対する多数の他の動作モードを有する。出力ユニットが矩形の表示エリアでもよい。この装置はユーザがこのディスプレイを横型で見るように向ける場合、この装置はテレビジョンの動作モードに切り換る。この装置が縦型に向けられる場合、予定帳の動作モードが稼動する。ディスプレイユニットを下に向けてこの装置を置いた場合、しばらく待った後、この装置はオフに切り換る。
【００１７】
本発明の他の実施例において、この装置にあり、空間における装置の配置を記録する手段は、特に連続的なパラメタを含むパラメタを入力するのにも用いられる。この場合、装置は、例えば口語命令のような入力開始命令によりパラメタを入力するための入力モードに切り換る。テレビジョンの動作モードにおいて、例えば口語命令“ボリューム”は、稼動すべき適切な入力モードを生じさせる。空間における装置の配置を変更することにより、パラメタの値が変更される。例えば、装置を右又は左に傾けることにより音量が上がったり、下がったりしてよい。入力モードが終了し、パラメタが入力終了命令により到達した設定で保持される。この命令は再び好ましくは口語命令である。
【発明を実施するための最良の形態】
【００１８】
本発明のこれら及び他の特徴は、以下に記載される実施例から明らかであり、これら実施例を参照して説明される。
【００１９】
電子装置１０が図１に例示されている。この装置１０は、ユーザがこの装置１０を自分の手で楽に保持することができるようなサイズの平坦な矩形のハウジング１２を有する。
【００２０】
このハウジング１２の上面にスクリーン１４がある。スピーカ１６はこのスクリーン１４の上に配置されている。このスクリーン１４の下には、キー１８が左右に配置され、中央にマイク２０が配置されている。
【００２１】
装置１０の内部（図示せず）には、中央処理ユニットの機能を制御する複数のマイクロプロセッサを持つ中央処理ユニットがある。この中央処理ユニットは、キー１８からの入力及びマイクロホン２０によりピックアップされる信号を処理する。この中央処理ユニットはスクリーン１４及びスピーカ１６を制御する。
【００２２】
前記装置は、この装置の空間における配置を決めるためのセンサを有する。この種のセンサは、それ自体は当業者に知られている。これらセンサを物理的に実行する多くの可能なやり方があり、それらの幾つかは国際特許出願WO A 01/03054及びWO A 01/43473において論じられている。これらセンサがとる実際の形態は、本発明とってそれ程重要なことではないので、ここで詳細に論じられることはない。
【００２３】
前記センサにより決められるような前記装置の空間における配置は、同様に中央処理ユニットにより処理される。
【００２４】
前記装置１０は、この装置が移動電話、ＰＤＡ及びオーディオ／ビデオ再生装置として使用されることを可能にするために不可欠な機能ユニットを有する。これらの用途の各々に必要とされる構成要素は、それ自体は知られているので、何ら詳細な説明も必要としない。
【００２５】
図１に示される直立位置において、装置１０は、移動電話として動作する動作モードで機能する。ユーザはこの装置１０を、ユーザがマイクロホン２０に話すことができ、スピーカ１６からの出力を聴くことができるように保持する。この装置は、電話番号をこの装置にキー入力する、例えばキー１８を介して又はスクリーン１４がタッチパッド形式である場合はスクリーン１４を介して行うことにより動作する。
【００２６】
移動電話モードにおいて、装置１０は（電話をしていない条件で）マイクロホン２０を介して音声命令を受諾する。このようにして、例えばスピーカからの音量は、この用途に対する口頭命令“ボリューム”により入力モードを稼動させることによって変更することができる。スピーカに対し現在設定されている音量は、スクリーン１４上に、例えば棒グラフ形式で現れている。この装置を垂直位置から左側に僅かに傾けることにより、スピーカの音量が下がる。それ故に、この装置を右側に傾けることにより、音量は上がる。音量が所望のレベルに一旦到達すると、口頭命令“ストップ”に応答して、この到達したレベルが保持される。
【００２７】
図２は、装置１０を水平位置で示す側面図である。この装置がスクリーンを上に向けて図２に示される水平位置に動かされたことをこの装置に含まれる位置センサが中央処理装置に通知する場合、この装置はユーザ用の電子予定帳及びアドレス帳として使えるＰＤＡの動作モードに自動的に切り換る。この種の装置がこれらの用途に対し実施する機能は、かなりよく知られているので、これらを説明する必要は無い。
【００２８】
最後に、図３は横にした直立位置での装置１０を示す。前記位置センサは、この装置が図３に示される位置に動かされたことを検出する場合、中央処理装置はこの装置１０をオーディオ／ビデオモードに切り換る。このモードにおいて、装置１０は、この装置に記憶されたオーディオデータ又はアンテナ２２を介して入力されるオーディオ及び／又はビデオデータを有するデータストリームを再生する。これは、例えば（ＭＰ３プレーヤとして知られるような）圧縮されたオーディオファイルをスピーカ１６を介して再生することを有してもよい。同様に、アンテナ２２を介して好ましくはデータストリームとして入力される特別にダイアルアップされたオーディオ／ビデオ信号がスクリーン１４上に示されることができ、スピーカ１６を介して再生されることができる。
【００２９】
これら異なる動作モード間の切り換えは、特定の向き（図１、２、３参照）となったら直ちに、中央処理ユニットにより自動的に行われる。無論、所与の動作モードに割り当てられた向きは、各場合において、ある幅を含んでいる。すなわち、とられる向きが指定された正確な向きにする必要は無い。移動電話としての動作は、例えば垂直に対し７０°までの角度が考えられる。不要な切り換えを避けるために、この切り換えは、好ましくは短い待ち時間が過ぎた後まで行われない。機能の能動的使用が行われるかぎり、すなわち、実際に移動電話として動作する装置において通話が行われるかぎり、如何なる切り換えも好ましくはブロックされる。
【００３０】
３つの動作モードで図１から図３に示される装置１０は、この場合において単なる一例であると考えられるべきである。２つ以上の異なる動作モードを持つ装置の限りなく多様な考えられる組み合わせがある。この装置は、例えば静止画及び／又は動画を撮るための画像センサを持つデジタルカメラでもよい。写真を撮るために通常用いられる位置（例えば画像センサが略水平に向けられ、直立する位置）において、電子ユニットは写真又はビデオシーケンスが撮られる写真撮影モードである。表示スクリーンが観られる、異なるモードにおいて、撮られた写真及び／又はビデオシーケンスが再生されることを可能にするように再生モードが自動的に稼動する。
【００３１】
異なる動作モードの他の実施例は、別のユーザ用のアドレス帳／予定帳としてのモードである。例えば、前記装置が横になりアンテナが右を向いている図３に示される位置に保たれる場合、第１のユーザ用のアドレス帳／予定帳として働く。横になりアンテナが左を向いているように、図３に示される位置から１８０°回転した空間における位置において、前記装置は第２のユーザ用のアドレス帳／手帳として働く。別々のユーザに対する動作モード間の差異は、別々の背景色により明白にされる。
【００３２】
位置センサの分析が、この装置は前面が下を向いて置かれていると示す場合、中央処理ユニットは、（例えば数秒の既定の待ち時間の後）装置をオフに切り換える。
【００３３】
本発明は、ポータブルな電子装置及びポータブルな電子装置を制御する方法が説明されることを述べることにより要約されることができる。前記電子装置は、この装置が空間における配置を当該装置が判断することを可能にするための位置センサを有する。この装置は、例えば移動電話又はＰＤＡのような異なる動作モードで働くことができる。前記装置の空間における配置を変更することにより、例えば直立位置で移動電話モードを稼動させる、及び水平位置でＰＤＡモードを稼動させるような、異なる動作モード間の切り換えが行われる。向きに関する変更を利用して異なる動作モード間を切り換えることは、ユーザが前記装置を直観的に操作することを可能にする。
【図面の簡単な説明】
【００３４】
【図１】直立位置での電子装置の前面図。
【図２】水平位置での図１の電子装置の側面図。
【図３】横にした位置での図１の電子装置の前面図。
【図１】
2005520232.tif 000002
【図２】
2005520232.tif 000003
【図３】
2005520232.tif 000004
【国際調査報告】
2005520232.tif 000005
2005520232.tif 000006
2005520232.tif 000007